(57)【要約】      （修正有）【課題】多くの機能、性能を持った壁面材を釘、ビス等を用いずに躯体内部から固定し、壁面材表面に施工の際に生じる損傷を無くし、壁装材を使用せずに壁面を仕上げ、壁面材のもつ性能、機能を充分に発揮させ、更に工程の短縮を実現し施工費の節減を図る。【解決手段】躯体側間柱１、柱１に円筒形壁面材受支材３をこれ等間柱１、柱１にこの円筒形壁面材受支材３と同径の孔を開け通しておき、壁面材２の躯体側の面（裏面）の四隅四箇所に躯体側円筒形壁面材受支材３と同位置に内付け接合金具Ａを取り付け、この内付け接合金具Ａの開口部分を円筒形壁面材受支材３に合せ壁面材２表面より押圧を掛けることにより躯体側円筒形壁面材受支材３を咥え込み壁面材３を躯体に固定する、これにより壁表面からの釘打ち等が不要になり、壁面材３を取り付けるだけで内装工事が完了し壁装材等による内装工事工程が無くな工期の短縮、施工費の節減が可能となる。【選択図】図７
2006249902.tif 000002
【特許請求の範囲】
【請求項１】
壁面材を躯体に取り付けるには通常、取り付ける壁面材表面から釘やビス等を用い躯体に取り付けている。  しかしながらこの方法だと壁面材表面に釘やビスによる取り付け施工時の損傷が残り、その傷跡を補修し、更に壁面材表面を壁装材で覆い化粧を施して仕上げている。  壁面材も多くの機能、性能を持つ素材が開発されているが、この従来の工法では素材が持つ本来の機能、性能を活かすことが出来ない。  壁内部で内付け接合金具と円筒形壁面材受支材により躯体に壁面材を固定し、壁面材の表面に施工時の取り付け用の釘、ビス等を使用しないため、それらの施工跡等の損傷を残さず、壁装材を用いる事なく内装工事を完了する工法。
【請求項２】
壁面材の取り付けに際し、金属板で作られた内付け接合金具と円筒形壁面材受支材を用い、その弾性変形性能により壁面材の脱着が簡単に行える。
【発明の詳細な説明】
【技術分野】
【０００１】  本発明は、建築物の壁面材を躯体内で固定する、壁面材取り付けの施工方法に関するものである。
【背景技術】
【０００２】  建築物の内装材には、多種多様の建材が用いられているが、特に壁の場合、壁面材を直接釘、ビス等で壁面材表面から留めつけるため、その多くが下地材取り付け施工時の傷跡や釘、ビスの上にパテやボンドを塗り鏝で平滑にした上にこれ等を隠すためにクロス等の壁装材が使用されている。【０００３】  近年、揮発性有機化合物の人体に及ぼす影響等が議論され、ホルマリン等有害物質の飛散を規制する規定も施行されており、これ等の物質を吸着する性能を有する素材を用いた壁面材も多く出回るようになってきたが、その取り付けに関しては相変わらず釘、ビス等を用いているためその機能、性能を活かせないのが現実である。【０００４】  壁面材に有害物質吸着性能が有ったにしても、これらの施工傷を覆い隠し仕上げる目的でクロス等の壁装材を全面に貼り込むため、又壁面材そのものにデザイン性が有ったにしてもその施工法では性能、機能を活かす事が出来なかった。
【発明が解決しようとする課題】
【０００５】  斯様な施工方法の問題から来る性能、機能阻害を防止し釘、ビスを用いず壁面材を躯体内部で躯体に簡単に取り付け固定し、クロス等の壁装材の仕上げ材を使用せずに壁面材の持つ特性（デザイン、素材感、性能）を活かし、壁等の内装を仕上げる事が出来るべく創案した工法である。
【０００６】  壁内装工事は壁面材の躯体取り付け時に生じる壁面材に残る損傷等の工事跡を補修し、覆い隠し表面の化粧をする目的を有するため、その性質上全ての工事の後に行なうことが標準的な工程である。  この工事は上述する様に最後の工程となるため、工期的にも余裕の無い状態であり、仕上がりを左右する大事な工程であるにもかかわらず時間に切迫され粗雑になり勝ちである。  この工程を前工程（造作工事時）に繰り上げる事が出来れば、工事全体の仕上がりに及ぼす影響も大きく、工程の短縮をも図る事が可能である。
【課題を解決するための手段】
【０００７】  壁面材を取り付けようとする躯体の直列して立ち並ぶ間柱相互間、柱間柱相互間、柱相互間の上端から数センチ下がった部分と同下端から数センチ上がった部分に直径数センチの貫通孔を開け円筒（中空、中実いずれでも良い且つ木、金属、樹脂等いずれも可）をこの間柱、柱に開けられた上下の同径の孔に挿入しておく。
【０００８】  一方躯体に固定される壁面材には、その四隅近辺四箇所、躯体側に取り付けられた円筒形壁面材受支材と同高さにその底面に押圧に対し変形を吸収する数ミリ厚のゴム板を隣接させた金属製の内付け接合金具を取り付けておく。
【０００９】  この壁面材に取り付けられた内付け接合金具を躯体側に取り付けられた円筒形壁面材受支材に合せ、壁面材の表面から押圧を掛け押し込むと内付け接合金具の開口部が円筒形壁面材受支材の外周円に沿って開き、その接合金具の中に円筒形壁面材受支材が入り込み金属の弾性変形性能により接合金具の開口部が閉じ接合金具が円筒形壁面材受支材を咥え込む事により、壁面材を釘、ビス等を用いずに躯体内部から躯体に固定する事が出来る。
【発明の効果】
【００１０】  本発明によれば、壁面材表面から取り付け用の釘等を使用せずに壁体内で壁面材を躯体側の間柱、柱に取り付け固定でき、壁装材（クロス等表面仕上げ材）と同様の機能（仕上げ材としての外見、デザイン）を持った壁面材を損傷を伴う事無く用いることが出来る。壁面材取り付け固定と同時に内装工事を終了させられる事で、常に時間に追われていた内装工程を短縮する事が可能となる。
【００１１】  本発明により、施工時の損傷をボンドやパテで補修をする必要も、壁装材を用い壁面材表面を覆う事も無く、壁面材持つ外見、デザインを損なう事なく性能（揮発性有機化合物吸着性能、調湿性能等）を充分に発揮させる事が出来、壁面材の取り付け終了と同時に内装工事を終了する事が出来る。  この内装工事が躯体工事と同時に終了する事は、工期の短縮は元より工事費の節減を可能にする。
【００１２】  更に、内付け接合金具は金属板を用い折曲げ加工しているため、取り付けた壁面材を取り外す際にもその弾性変形性能により壁面材外周部を引っ張ることで内付け接合金具の開口部が円筒形壁面材の外周円に沿って開き簡単に取り外す事ができる。
【実施例】
【００１３】  図面は本発明に係る建築物における軸組み材（柱、間柱）で構成する躯体と壁面材の接合状態の実施例を示し、図中１は間柱、２は壁面材、３は円筒形壁面材受支材である。【００１４】  内付け接合金具Ａ（図−１０）は壁面材２の四隅にビス等で固定（図−１０）されており、受支側の躯体の間柱には各間柱に開けられた同径の穴に内付け接合金具Ａ受けの円筒形壁面材受支材（木、金属、樹脂いずれも可）が通されている。（図−５）【００１５】  この内付け接合金具Ａの取り付けられた壁面材２の内付け接合金具部分７を躯体側に通された内付け接合金具Ａの受け材である円筒形壁面材受支材３の位置（図−５）に合せ壁面材表面から内付け接合金具Ａの取り付けられた部分７を躯体内に向け押圧する。【００１６】  このとき、内付け接合金具Ａの底面に付けられた数ミリ厚のゴム板Ｒ（図−６）が押圧により変形し壁面材２取り付け時の押圧による圧縮力を吸収し壁面材２の保護をする。【００１７】  壁面材２を更に押圧して行くと内付け接合金具に設けられた開口Ｏ（図−７）が金属の弾性変形性能により開き、円筒形壁面材受支材３が完全に押し込まれると内付け接合金具Ａのこの開口Ｏが、壁面材受支円筒３と同心円の円形部分Ｃ（図−６）に接し固定されこの時内付け接合金具Ａの底面に付けられたゴム板Ｒが元の厚さに戻り正規の位置に固定される。【００１８】  これにより、各種の性能、機能を持った壁面材は、表面より釘、ビス等を用いることなく確実に躯体内部から固定する事ができ工期の短縮とコストの節減可能な工法を提供できる。
【図面の簡単な説明】
【００１９】
【図１】内付け接合金具上面図
【図２】同正面図
【図３】同底面図
【図４】同右側面図
【図５】円筒形壁面材受支材の取り付け状態を示す斜視図
【図６】壁面材に取り付けられた内付け接合金具と円筒形壁面材受支材の関係を示す縦断面図
【図７】上記斜視図
【図８】間柱に取り付けた円筒形壁面材受支材と内付け接合金具の位置関係を示す縦断面図
【図９】横架材間に配置された間柱と円筒形壁面材受支材の関係を示す斜視図
【図１０】壁面材に取り付けられた内付け接合金具を示す斜視図
【図１１】横架材間の間柱に取り付けられた壁面材の仕上がり状態を示す斜視図
【符号の説明】
１    間柱２    壁面材３    円筒形壁面材受支材４    円筒形壁面材受支材取り付け孔５    横架材６    横架材７    壁面材押圧部Ａ    内付け接合金具Ｃ    内付け接合金具円形部Ｒ    押圧吸収ゴム板Ｎ    内付け接合金具取り付け用ビス
【選択図】
図−５、図−６、図−７、図−８、図−９、図−１０
【図１】
2006249902.tif 000003
【図２】
2006249902.tif 000004
【図３】
2006249902.tif 000005
【図４】
2006249902.tif 000006
【図５】
2006249902.tif 000007
【図６】
2006249902.tif 000008
【図７】
2006249902.tif 000009
【図８】
2006249902.tif 000010
【図９】
2006249902.tif 000011
【図１０】
2006249902.tif 000012
【図１１】
2006249902.tif 000013